(57)【要約】  【課題】  ＲＤＦ発電設備におけるＲＤＦ貯槽の防火システムであって、ＲＤＦ発電設備の既設装置を利用してコストをかけることなく、火災が発生しないようにすること。  【解決手段】  ＲＤＦが備蓄される比較的密閉された閉鎖空間であるＲＤＦ貯槽と、前記ＲＤＦを燃焼する燃焼装置とを備えたＲＤＦ発電設備におけるＲＤＦ貯槽の防火システムであって、前記ＲＤＦ貯槽内の空気を前記燃焼装置内に導入する空気導入ラインと、前記燃焼装置内における前記ＲＤＦ及び空気の燃焼によって生じた燃焼生成ガスを前記ＲＤＦ貯槽内に導入するガス導入ラインとを備えた。  【選択図】  図１
2005270349.tif 000002
【特許請求の範囲】
【請求項１】
ＲＤＦが備蓄される比較的密閉された閉鎖空間であるＲＤＦ貯槽と、前記ＲＤＦを燃焼する燃焼装置とを備えたＲＤＦ発電設備におけるＲＤＦ貯槽の防火システムであって、
前記ＲＤＦ貯槽内の空気を前記燃焼装置内に導入する空気導入ラインと、前記燃焼装置内における前記ＲＤＦ及び空気の燃焼によって生じた燃焼生成ガスを前記ＲＤＦ貯槽内に導入するガス導入ラインとを備えたことを特徴とするＲＤＦ貯槽の防火システム。
【請求項２】
前記空気導入ラインに、前記ＲＤＦ貯槽内の空気を吸引する第１の吸引手段を設け、前記ガス導入ラインに、前記燃焼装置内の燃焼生成ガスを吸引する第2の吸引手段と、前記燃焼生成ガスを冷却する冷却手段と、を設けたことを特徴とする請求項１記載のＲＤＦ貯槽の防火システム。
【請求項３】
前記ガス導入ラインに、前記燃焼生成ガス中の酸素を低減可能な酸素低減手段を設けたことを特徴とする請求項２記載のＲＤＦ貯槽の防火システム。
【請求項４】
前記燃焼生成ガスは、前記ＲＤＦ貯槽内への外気の流入が可能な流入口付近に導入されることを特徴とする請求項１〜３記載のＲＤＦ貯槽の防火システム。
【請求項５】
前記ＲＤＦ貯槽内の酸素濃度を測定する酸素濃度測定装置と、該酸素濃度測定装置により測定された酸素濃度を不燃焼酸素濃度に維持するように、前記第１の吸引手段と前記第２の吸引手段との運転制御を行う制御盤とを備え、
前記制御盤は、前記酸素濃度測定装置により測定された酸素濃度が不燃焼酸素濃度以下になった場合は、前記第１の吸引手段を運転停止させることを特徴とする請求項２〜４に記載のＲＤＦ貯槽の防火システム。
【発明の詳細な説明】
【技術分野】
【０００１】
本発明は、ＲＤＦ発電設備におけるＲＤＦ貯槽の防火システムに関する。
【背景技術】
【０００２】
近年、家庭の生ゴミや紙、木屑、プラスチックなどの可燃性のゴミを燃焼装置で燃焼し、燃焼熱によって発生する蒸気を発電等に利用する廃棄物発電設備において、ＲＤＦ発電設備が開発され普及してきている。ＲＤＦ発電設備は、家庭の生ゴミや紙、木屑、プラスチックなどの可燃性のゴミを固形化し、燃料として発電に再利用するものであり、ゴミを熱圧縮、成形してゴミ固形燃料としてのＲＤＦ（refuse-derived fuel）を製造する製造装置と、ＲＤＦを備蓄するＲＤＦ貯槽と、ＲＤＦを発電のために燃焼する燃焼装置とを有している。ＲＤＦは、数ｃｍ単位で成形されており、貯留性、輸送性、燃焼性に優れるという特徴がある（例えば、特許文献１参照。）。
【特許文献１】特開平１０−２９２９０９号公報
【発明の開示】
【発明が解決しようとする課題】
【０００３】
ＲＤＦ貯槽内に備蓄されたＲＤＦは、適宜、燃焼装置に運ばれて燃焼されるようになっているが、ＲＤＦ貯槽は、ＲＤＦが多量に備蓄される比較的密閉された閉鎖空間であるため、ＲＤＦの嫌気性発酵による熱の蓄積や可燃性ガスの発生、酸化による熱の蓄積などにより、ＲＤＦが自然発火し燻焼火災に至ることがある。このような火災は多量のＲＤＦに囲まれており、酸欠状態で燃焼するため大火に至らないので、ガスによる消火は可能である。しかし、燻焼状態で燃焼したＲＤＦは炭化するので、炭化したＲＤＦをＲＤＦ貯槽外に搬出する作業が煩雑になったり、また、消火が遅れると、炭化したＲＤＦは、ＲＤＦ貯槽全体にガスが浸透するのを塞いだりして消火が困難になったりと、甚大な被害を被る。
【０００４】
この発明は、ＲＤＦ発電設備におけるＲＤＦ貯槽の防火システムであって、ＲＤＦ発電設備の既設装置を利用してコストをかけることなく、火災が発生しないようにすることを目的とする。
【課題を解決するための手段】
【０００５】
本発明は、ＲＤＦが備蓄される比較的密閉された閉鎖空間であるＲＤＦ貯槽と、前記ＲＤＦを燃焼する燃焼装置とを備えたＲＤＦ発電設備におけるＲＤＦ貯槽の防火システムであって、前記ＲＤＦ貯槽内の空気を前記燃焼装置内に導入する空気導入ラインと、前記燃焼装置内における前記ＲＤＦ及び空気の燃焼によって生じた燃焼生成ガスを前記ＲＤＦ貯槽内に導入するガス導入ラインとを備えたことを特徴とする。
【０００６】
また、前記空気導入ラインに、前記ＲＤＦ貯槽内の空気を吸引する第１の吸引手段を設け、前記ガス導入ラインに、前記燃焼装置内の燃焼生成ガスを吸引する第2の吸引手段と、前記燃焼生成ガスを冷却する冷却手段と、を設けたことを特徴とする。
【０００７】
また、前記ガス導入ラインに、前記燃焼生成ガス中の酸素を低減可能な酸素低減手段を設けたことを特徴とする。
【０００８】
また、前記燃焼生成ガスは、前記ＲＤＦ貯槽内への外気の流入が可能な流入口付近に導入されることを特徴とする。
【０００９】
また、前記ＲＤＦ貯槽内の酸素濃度を測定する酸素濃度測定装置と、該酸素濃度測定装置により測定された酸素濃度を不燃焼酸素濃度に維持するように、前記第１の吸引手段と前記第２の吸引手段との運転制御を行う制御盤とを備え、前記制御盤は、前記酸素濃度測定装置により測定された酸素濃度が不燃焼酸素濃度以下になった場合は、前記第１の吸引手段を運転停止させることを特徴とする。
【発明の効果】
【００１０】
この発明におけるＲＤＦ貯槽の防火システムによれば、ＲＤＦ貯槽内の空気は空気導入ラインにより燃焼装置内に導入され、燃焼装置内において、ＲＤＦとともに燃焼されて、燃焼生成ガスが生成される。そして、この燃焼生成ガスがガス導入ラインによりＲＤＦ貯槽内に導入される。燃焼生成ガスは、燃焼前の空気よりも酸素濃度が低減して二酸化炭素濃度が増加しており、ＲＤＦ貯槽内の酸素濃度を低減させることができるので、ＲＤＦ貯槽内を不燃焼酸素濃度以下として不燃焼雰囲気とすることができる。また、備蓄されるＲＤＦから発生した可燃性ガスを低減させることができる。これらにより、ＲＤＦ貯槽内で火災が発生しないようにすることができる。特に、空気導入ラインとガス導入ラインとを設けるだけでよく、ＲＤＦ発電設備における既設の燃焼装置を利用して、コストをかけることなく、ＲＤＦ貯槽内で火災が発生しないようにすることができる。
【００１１】
また、空気導入ラインに、ＲＤＦ貯槽内の空気を吸引する第１の吸引手段を設け、ガス導入ラインに、燃焼装置内の燃焼生成ガスを吸引する第2の吸引手段と、燃焼生成ガスを冷却する冷却手段と、を設けた。第１の吸引手段及び第２の吸引手段により、ＲＤＦ貯槽内の空気の燃焼装置への導入及び燃焼装置内の燃焼生成ガスのＲＤＦ貯槽内への導入をスムーズに行うことができる。また、冷却手段により、燃焼生成ガスを冷却するので、冷却された燃焼生成ガスがＲＤＦ貯槽内へ導入されることになり、備蓄されるＲＤＦの湿度上昇による酸化反応及び温度上昇を抑えることができる。
【００１２】
また、ガス導入ラインに、燃焼生成ガス中の酸素を低減可能な酸素低減手段を設けた。そのため、燃焼生成ガス中の酸素濃度をさらに低減することができるので、ＲＤＦ貯槽内の酸素濃度を効率よく低減させることができる。
【００１３】
また、燃焼生成ガスは、ＲＤＦ貯槽内への外気の流入が可能な流入口付近に導入されるので、燃焼可能な酸素濃度を有する外気と接触する流入口付近の酸素濃度を素早く低下させるため、より効果的に防火が行える。
【００１４】
また、ＲＤＦ貯槽内の酸素濃度を測定する酸素濃度測定装置と、該酸素濃度測定装置により測定された酸素濃度を不燃焼酸素濃度に維持するように、第１の吸引手段と第２の吸引手段との運転制御を行う制御盤とを備え、制御盤は、酸素濃度測定装置により測定された酸素濃度が不燃焼酸素濃度以下になった場合は、第１の吸引手段を運転停止させる。これにより、高精度に酸素濃度管理が行えるとともに、燃焼装置に不燃焼酸素濃度以下の空気が導入されないので、燃焼装置内の燃焼が不完全になることがない。
【発明を実施するための最良の形態】
【００１５】
＜発明の実施の形態＞  本発明者は、可燃性物質であるＲＤＦが備蓄される比較的密閉された閉鎖空間であるＲＤＦ貯槽内で火災が発生すると、前述のように被害が発生することに鑑み、該被害が発生しないようにするためには、火災が発生しないようにすればよいと考えた。
【００１６】
そのため、燃焼の三要素である可燃物、酸素、温度を極力抑えるようにすれば良いと考えた。特には、燃焼の三要素のうちの酸素に関して、ＲＤＦ貯槽内の酸素濃度を低減して不燃焼酸素濃度以下にすることであり、さらには、ＲＤＦ以外に発生する可燃性ガスを抑制すること、ＲＤＦの温度を低下させることである。
【００１７】
そこで、ＲＤＦ貯槽の防災システムとして、ＲＤＦ貯槽内の空気を燃焼装置内に導入する空気導入ラインと、燃焼装置内におけるＲＤＦ及び空気の燃焼によって生じた燃焼生成ガスをＲＤＦ貯槽内に導入するガス導入ラインとを備えた。
【００１８】
燃焼生成ガスは、燃焼前の空気よりも酸素濃度が低減して二酸化炭素濃度が増加しており、ＲＤＦ貯槽内の酸素濃度を低減させることができるので、ＲＤＦ貯槽内を不燃焼酸素濃度以下として不燃焼雰囲気とすることができる。また、備蓄されるＲＤＦから発生した可燃性ガスを低減させることができる。これらにより、ＲＤＦ貯槽内で火災が発生しないようにすることができる。特に、空気導入ラインとガス導入ラインとを設けるだけでよく、ＲＤＦ発電設備における既設の燃焼装置を利用して、コストをかけることなく、ＲＤＦ貯槽内で火災が発生しないようにすることができる。
【００１９】
＜実施例＞  この発明の実施例を図１により説明する。まず、ＲＤＦ貯槽の防火システムの説明に先立って、まず、ＲＤＦ貯槽が用いられるＲＤＦ発電設備について説明する。
【００２０】
ＲＤＦ発電設備（図示せず）とは、家庭の生ゴミや紙、木屑、プラスチックなどの可燃性のゴミを固形化し、燃料として発電に再利用するものであり、ゴミを熱圧縮、成形してＲＤＦ２を製造する製造装置（図示せず）と、ＲＤＦ２を備蓄するＲＤＦ貯槽１と、ＲＤＦ２を発電のために燃焼する燃焼装置１０とを有している。可燃性物質の一例としてのＲＤＦ２は、数ｃｍ単位で成形されており、貯留性、輸送性、燃焼性に優れる。
【００２１】
ＲＤＦ製造装置（図示せず）で製造されたＲＤＦ２は、ベルトコンベア（図示せず）等で搬入経路３内を搬送される。そして、ＲＤＦ貯槽１の上部に設けられた搬入口４からＲＤＦ貯槽１内に適宜搬入され、ＲＤＦ貯槽１内の下部から滞積されて備蓄される。また、ＲＤＦ貯槽１の下部に設けられた搬出口５から適宜搬出され、ベルトコンベア（図示せず）等で搬出経路６内を搬送されて燃焼装置１０に送られる。そして、燃焼装置１０で燃焼されて、この燃焼熱によって発生する蒸気が発電等に利用される。
【００２２】
このように、ＲＤＦ貯槽１は、流入口の一例としての搬入口４および搬出口５から搬入経路３および搬出経路６を介して外気の流入が可能であるが、ＲＤＦ２が備蓄される比較的密閉された閉鎖空間７であり、その容積は例えば４０００ｍ３の大容積を有する。また、メンテナンス時などを除いて、通常下部から１／２程度の内容積にＲＤＦ２が滞積されて備蓄されている。
【００２３】
このＲＤＦ貯槽１は、搬入口４および搬出口５から酸素濃度２２％程度の燃焼可能な酸素濃度を有する外気が流入可能であり、また、下部のＲＤＦ２ほど滞積時間が長期であり、且つその上方向にも滞積していることから、ＲＤＦ２の酸化及び嫌気性発酵による熱の蓄積及び水素やメタン等の可燃性ガスの発生により自然発火や爆発の恐れがある。
【００２４】
以上の点を考慮して、このＲＤＦ貯槽１の防火システムは、ＲＤＦ貯槽１内の空気を燃焼装置１０内に導入する空気導入ライン２０と、燃焼装置１０内におけるＲＤＦ２及び空気の燃焼によって生じた燃焼生成ガスをＲＤＦ貯槽１内に導入するガス導入ライン２５とを備えた構成となっている。この空気導入ライン２０とガス導入ライン２５は、ＲＤＦ貯槽１と燃焼装置１０の雰囲気を循環可能な循環経路である。
【００２５】
空気導入ライン２０には、ＲＤＦ貯槽１内の空気を吸引する第１の吸引手段の一例としてのポンプ１１が設けられており、また、ガス導入ライン２５には、燃焼装置１０内の燃焼生成ガスを吸引する第２の吸引手段の一例としてのポンプ１２と、燃焼生成ガスを冷却する冷却手段の一例としての冷却装置１３と、燃焼生成ガス中の酸素を低減可能な酸素低減手段の一例としての窒素富化膜１４とが設けられている。この窒素富化膜１４は、酸素透過性に優れた膜であり、空気を窒素富化空気と酸素富化空気に分離できるものであるので、燃焼生成ガスにおいては、燃焼生成ガス中の酸素富化空気を分離して、酸素を低減した燃焼生成ガスを取り出すことが可能である。窒素富化膜１４は、例えば、ポリジメチルシロキサン等の有機高分子からなる均一膜または複合膜であり、さらに前記窒素富化膜が中空部を有する円筒形をなし、これを１ユニットとし、ユニットを多数集合したモジュール型とすると、空気から酸素富化空気を効率よく分離することができる。
【００２６】
また、このＲＤＦ貯槽１の防火システムは、ＲＤＦ貯槽１内の酸素濃度を測定する酸素濃度測定装置３０と、該酸素濃度測定装置３０により測定された酸素濃度を不燃焼酸素濃度に維持するように、ポンプ１１とポンプ１２と冷却装置１３と窒素富化膜１４との運転制御を行う制御盤４０とを備えている。
【００２７】
次に、本実施例の作動について説明する。制御盤４０の指示に基づいて、ポンプ１１とポンプ１２と冷却装置１３と窒素富化膜１４と酸素濃度測定装置３０が始動すると、例えば搬出口５付近に設けられた空気導入ライン２０の取込口２１からポンプ１１によりＲＤＦ貯槽１内の空気が取り込まれる。そして、この吸引した空気は空気導入ライン２０の放出口２２から燃焼装置１０に導入される。この吸引空気は、搬出経路６内を搬送されて燃焼装置１０内に投入されたＲＤＦ２とともに、燃焼装置１０により燃焼される。すると、吸引空気中の可燃性ガスおよび酸素が燃焼により消費され、二酸化炭素が生成されることにより、可燃性ガスおよび酸素が低減され、且つ二酸化炭素が増加した二酸化炭素富化空気としての燃焼生成ガスが得られる。この燃焼生成ガス（二酸化炭素富化空気）は、ポンプ１２によりガス導入ライン２５の取込口２６から取り込まれ、冷却装置１３により冷却されて、水分除去及び常温に戻される。つぎに、冷却した燃焼生成ガスを窒素富化膜１４に接触させる。すると、燃焼生成ガスから、酸素富化空気が除去された二酸化炭素富化空気および窒素富化空気としての燃焼生成ガスが得られる。この燃焼生成ガス（二酸化炭素富化空気および窒素富化空気）は、例えば搬入口４および搬出口５付近に設けられたガス導入ライン２５の放出口２７ａ、２７ｂを経てＲＤＦ貯槽１内に導入される。
【００２８】
酸素濃度測定装置３０は、ＲＤＦ貯槽１内の酸素濃度を計測しており、その測定結果を刻々と制御盤４０に出力する。
【００２９】
ＲＤＦ貯槽１内への燃焼生成ガス（二酸化炭素富化空気および窒素富化空気）の供給は、ＲＤＦ貯槽１内が燃焼不可能な酸素濃度（不燃焼酸素濃度）になるまで続けられるとともに、制御盤４０は、ポンプ１１、１２の運転速度を制御することで燃焼生成ガスの供給量をコントロールしながら、ＲＤＦ貯槽１内の酸素濃度を不燃焼酸素濃度に維持する。ここで、酸素濃度測定装置３０により測定された酸素濃度が不燃焼酸素濃度以下になった場合は、ポンプ１１を運転停止させることで、燃焼装置１０に不燃焼酸素濃度以下の空気を導入しないようにして、燃焼装置１０内の燃焼が不完全になることを防止する。不燃焼酸素濃度は、例えば１０％程度であるが、設置条件等により適宜決定される。
【００３０】
この防火システムは、ＲＤＦ貯槽１内から吸引した空気を燃焼装置１０に導入して、燃焼装置１０の燃焼により生成した燃焼生成ガスをＲＤＦ貯槽１内に戻すことを繰り返し行うことにより、ＲＤＦ貯槽１内の酸素濃度を低減して不燃焼酸素濃度以下にして、不燃焼雰囲気とすることができ、ＲＤＦ貯槽１内において火災が発生しないようにすることができる。また、ＲＤＦ貯槽１内で生成した可燃性ガスも燃焼により消費されるので、ＲＤＦ貯槽１内の可燃性ガスが低減され、爆発の恐れがなくなる。特に、ＲＤＦ発電設備における既設の燃焼装置１０を利用して、コストをかけることなく、ＲＤＦ貯槽１内で火災が発生しないようにすることができる。
【００３１】
さらに、燃焼生成ガスを冷却してＲＤＦ貯槽１内に戻すので、ＲＤＦ２の酸化反応および蓄熱を防止し、また、ＲＤＦ２の水分含有率が上昇して後工程の燃焼装置１０での燃焼時にダイオキシンが発生することを防止することができる。また、窒素富化膜１４により、燃焼生成ガス中の酸素濃度をさらに低減することができるので、ＲＤＦ貯槽１内の酸素濃度を効率よく低減させることができる。
【００３２】
また、燃焼生成ガスは、ＲＤＦ貯槽１内への外気の流入が可能な流入口４、５付近に供給されるようにしたので、燃焼可能な酸素濃度を有する外気と接触する流入口４、５付近の酸素濃度を素早く低下させるため、より効果的に防火が行える。
【００３３】
また、空気は、ＲＤＦ貯槽１内への外気の流入が可能な流入口４、５付近から取り込まれるようにしたので、取り込むことで酸素濃度が高めの流入口４、５付近の酸素濃度を低下させることができる。
【００３４】
特に、搬出口５付近のＲＤＦ２は、酸素濃度２２％程度の燃焼可能な酸素濃度を有する外気が流入可能であり、また、ＲＤＦ貯槽１内における滞積時間が長期であり、且つその上方向にも滞積していることから、酸化及び嫌気性発酵による熱の蓄積及び水素やメタン等の可燃性ガスの発生により自然発火や爆発の恐れが一番高い。そのため、ＲＤＦ貯槽１内への外気の流入が可能であり、且つ常時ＲＤＦ２で覆われているＲＤＦ貯槽１の下部の搬出口５付近から、空気を取り込み、また、燃焼装置１０により生成された燃焼生成ガスが搬出口５付近に導入されるようにしたので、より火災が発生しやすい箇所に対して、効果的に防火を行うことができる。
【００３５】
なお、燃焼生成ガスは、二酸化炭素富化空気を含み、二酸化炭素富化空気は、空気との比重が大きく浸透性に優れており、冷却効果もある。そのため、二酸化炭素富化空気は、特に搬出口５付近に供給されるとよい。これにより、長時間滞留しているＲＤＦ２内に浸透してＲＤＦ２の蓄熱を除去して効果的に防火が行える。
【００３６】
前記実施例において、燃焼装置に導入される空気は、ＲＤＦ貯槽内への外気の流入が可能な搬入口や搬出口等の流入口に接続された経路、例えば搬入経路や搬出経路から取り込まれ、この空気の燃焼により得られた燃焼生成ガスが搬入口や搬出口等の流入口からＲＤＦ貯槽内に供給されるようにすると、流入口から燃焼可能な酸素濃度を有する外気が流入しなくなるため、より効果的に防火が行える。
【００３７】
なお、前記実施例における酸素低減手段は、酸素及び窒素分子の分別が可能な分子ふるいとしてもよい。分子ふるいは、例えばゼオライト（沸石）や活性炭等を用いることができ、特に工業的酸素濃縮法（ＰＳＡ）として知られる方法を適用することが好ましい。この工業的酸素濃縮法は、例えばゼオライトまたは活性炭の酸素吸着−脱着時間の間隔と窒素吸着−脱着時間の間隔が相違することを利用し、それぞれの気体含有率の多いフラクション（分画）を所定時間でもって選択的に取り出すものである。このようにすれば、空気中の窒素と酸素が分別され、窒素富化空気および酸素富化空気が生成されるので、燃焼生成ガスにおいては、燃焼生成ガス中の酸素を低減することができる。
【００３８】
また、前記実施例における酸素低減手段は、酸素吸着性の固体を用いても良い。この固体は、吸引空気と接触させることで、吸引空気に含まれる酸素を吸着し、窒素富化空気を生成するものであり、燃焼生成ガスにおいては、燃焼生成ガス中の酸素を低減することができる。このタイプの固体としては、例えば、アスコルビン酸ナトリウム、ヘキサノール、ヘプタノールのような有機物質や、鉄、銅、亜鉛、すず等の金属や、硫酸鉄、硫化鉄、酸化鉄や、イオウと炭酸カリウムのような組合せの多硫化化合物とカリウム化合物の混合物、あるいは前記の複数の混合物などが挙げられるが、酸素との反応の際に著しく発熱するため、生成した燃焼生成ガスを冷却してＲＤＦ貯槽内に戻すことが望ましい。
【００３９】
さらに、前記実施例における酸素低減手段は、酸素を吸着することのできる液体を用いても良い。この液体は、吸引空気と接触させることで、吸引空気に含まれる酸素を吸着し、窒素富化空気を生成するものであり、燃焼生成ガスにおいては、燃焼生成ガス中の酸素を低減することができる。このタイプの液体としては、例えば、人工血液等が挙げられる。
【００４０】
ところで、前記実施例におけるＲＤＦ貯槽は、通常人の出入りのない、若しくは、人の出入りの少ない場所であるが、保守点検員により定期的にメンテナンスが実施されたり、また、それ以外にも設備の不具合などで突発的にメンテナンスが実施される場合がある。このような場合において、保守点検員が不用意にＲＤＦ貯槽近傍に近づくと、防火システムが運転中であるので、不燃焼酸素濃度の雰囲気に暴露されるので生命に危険を及ぼす。そのため、ＲＤＦ貯槽周囲に人体検知センサと、危険を報知する危険報知手段、例えば表示手段や音響手段を設けて、この人体検知センサ及び危険報知手段を制御盤に接続し、人体検知センサが人体を検知すると、制御盤が危険報知手段を作動させて、保守点検員に危険を報知するようにしてもよく、またそのときに、制御盤が、ポンプや冷却装置や窒素富化膜の運転停止の制御を行うようにして、これにより、不燃焼酸素濃度に維持されているＲＤＦ貯槽内の雰囲気を少しでもより安全な酸素濃度の雰囲気にするようにしてもよい。
【００４１】
なお、前記防火システムは、ＲＤＦ貯槽の防火システムとして、ＲＤＦ貯槽内で火災が発生しないようにしたものであるが、万が一火災が発生してしまった場合の消火システムとして使用しても良い。
【００４２】
また、前記防火システムは、ＲＤＦ貯槽の防火システムであったが、サイロ、貯炭場、ＲＤＦ以外のゴミ貯槽、ゴム、プラスチック貯槽などの可燃性物質が多量に備蓄される比較的密閉された閉鎖空間の防火システムであって、これら可燃性物質を燃料とした燃焼装置を有する燃料発電設備等が対象であってもよい。
【図面の簡単な説明】
【００４３】
【図１】本発明の実施例を示す図である。
【符号の説明】
【００４４】
１  ＲＤＦ貯槽
２  ＲＤＦ
７  閉鎖空間
１０  燃焼装置
１１  ポンプ（第１の吸引手段）
１２  ポンプ（第２の吸引手段）
１３  冷却装置（冷却手段）
１４  窒素富化膜（酸素低減手段）
２０  空気導入ライン
２１  ガス導入ライン
【図１】
2005270349.tif 000003